(57)【要約】      （修正有）【課題】トレイと、このトレイをスライド可能に支持する支持部材との摺接によって生じる異音を抑えるシート支持装置を提供する。【解決手段】補助トレイは、排紙トレイに設けられたガイドリブ８４に嵌るレール７２を備えている。レール７２からは弾性片７４が突出されている。弾性片７４の突出の先端部には、ガイドリブ８４の右側面８４Ａに摺接する当接部７６が設けられている。ガイドリブ８４の右側面８４Ａには、当接部７６を間欠して右側面８４Ａから離間させる複数個の凸部９０が設けられている。当接部７６が間欠して右側面８４Ａから離間されることにより、補助トレイがスライドされる際に生じる摺接音が低減される。【選択図】図６
0003192597.tif 000002
【実用新案登録請求の範囲】
【請求項１】
支持部材と、第１方向へスライド可能に上記支持部材に支持されており、シートが載置されるトレイと、を備えたシート支持装置であって、
上記支持部材及び上記トレイのいずれか一方は、上記第１方向へ沿って延びており、且つ上記第１方向に直交する第２方向において互いに離間した一対の当接面を有しており、
上記支持部材及び上記トレイの他方は、上記第２方向において上記一対の当接面とそれぞれ対向し当接する一対の当接部と、上記当接部を上記各当接面にそれぞれ押圧する一対の弾性片と、を有しており、
上記第１方向への上記トレイのスライドにおいて、上記当接面または上記弾性片の少なくとも一方に間欠して当接することにより上記当接部と上記当接面とを間欠して離間させる離間部が設けられたものであるシート支持装置。
【請求項２】
上記一対の当接面はそれぞれが平面であり、
上記離間部は、上記当接面からそれぞれ突出されており、且つ上記第１方向へ相互に離間されて配置された複数の突出部であり、
上記突出部は、上記第１方向への上記トレイのスライドにおいて上記弾性片に当接して上記当接部を上記当接面から離間させる向きへ上記弾性片を弾性変形させるものである請求項１に記載のシート支持装置。
【請求項３】
上記複数の突出部は、上記トレイのスライドの間に上記当接部が対向する上記当接面の全域に渡って設けられたものである請求項２に記載のシート支持装置。
【請求項４】
上記支持部材は、上記トレイと共にシートが載置されるトレイ形状であり、
上記トレイは、上記第１方向へスライドされることにより、上記支持部材に収納された第１姿勢、及び上記支持部材から露出された第２姿勢に姿勢変化されるものであり、
上記当接面には、上記トレイの姿勢が上記第１姿勢であると上記当接部が嵌る第１凹部と、上記トレイの姿勢が上記第２姿勢であると上記当接部が嵌る第２凹部とが設けられたものである請求項１から３のいずれかに記載のシート支持装置。
【請求項５】
上記一対の当接面は、それぞれが上記第１方向へ沿って滑らかに凹凸が連続する湾曲面であり、
上記離間部は、上記第１方向において上記当接部から離間されて上記弾性片に設けられており、上記第１方向への上記トレイのスライドにおいて上記当接面の凸部分に当接して上記当接部を上記当接面から離間させる向きへ上記弾性片を弾性変形させるものである請求項１に記載のシート支持装置。
【考案の詳細な説明】
【技術分野】
【０００１】
本考案は、シートを支持するトレイと、このトレイをスライド可能に支持する支持部材とを備えたシート支持装置に関する。
【背景技術】
【０００２】
従来より、シートを搬送して画像を記録する画像記録装置や、画像が記録されたシートを搬送して当該画像を読み込むスキャナが知られている。このような画像記録装置やスキャナには、搬送前のシートを支持するトレイや、搬送後のシートを支持するトレイが通常設けられる。この種の画像記録装置やスキャナには、小型化のため、トレイをスライド可能としたものがある。
【０００３】
特許文献１には、画像形成装置に用いられる給紙カセットが記載されている。この給紙カセットは、下段トレイと、この下段トレイに支持された上段トレイ（支持部材）と、この上段トレイに支持された拡張トレイ（トレイ）とを備えている。上段トレイには左右一対の摺動溝が設けられている。この摺動溝に嵌る左右一対のレールが拡張トレイに設けられている。拡張トレイは、摺動溝とレールとにおいて、上段トレイにスライド可能に支持されている。また、拡張トレイには、左右方向へ撓むことができる左右一対の弾性片が設けられている。この弾性片の頭部は、弾性片の弾性力により、上段トレイに設けられたリブに押し付けられる。
【先行技術文献】
【特許文献】
【０００４】
【特許文献１】特開２０１０−６５８６号公報
【考案の概要】
【考案が解決しようとする課題】
【０００５】
特許文献１に記載された画像形成装置では、弾性片の頭部が上段トレイのリブに当接することにより、左右方向における拡張トレイの位置ずれが防止される。しかしながら、弾性片の頭部とリブとの摺接により、摺接音が生じるおそれがある。
【０００６】
弾性片の頭部やリブにグリスを塗布したり、弾性片の頭部やリブにシボ加工を行ったり、弾性片の代わりにローラを設けたりすることにより、異音を抑えることが考えられる。しかしながら、グリスを用いると、シートやユーザの手や衣服にグリスが付着するおそれが生じてしまう。また、シボを設けると、シボは、弾性片の頭部との摺接によって摩耗するので、拡張トレイの操作感が経時変化してしまう。また、ローラを設けると部品点数が増えてしまう。
【０００７】
本考案は、前述された事情に鑑みてなされたものであり、その目的とするところは、トレイと、このトレイをスライド可能に支持する支持部材との摺接によって生じる音を抑えることができる手段を提供することにある。
【課題を解決するための手段】
【０００８】
(1)  本考案は、支持部材と、第１方向へスライド可能に上記支持部材に支持されており、シートが載置されるトレイと、を備えたシート支持装置に関する。上記支持部材及び上記トレイのいずれか一方は、上記第１方向へ沿って延びており、且つ上記第１方向に直交する第２方向において互いに離間した一対の当接面を有している。上記支持部材及び上記トレイの他方は、上記第２方向において上記一対の当接面とそれぞれ対向し当接する一対の当接部と、上記当接部を上記各当接面にそれぞれ押圧する一対の弾性片と、を有している。上記第１方向への上記トレイのスライドにおいて、上記当接面または上記弾性片の少なくとも一方に間欠して当接することにより上記当接部と上記当接面とを間欠して離間させる離間部が設けられている。
【０００９】
弾性片の当接部は、弾性片の弾性力により当接面に押圧され、第２方向におけるトレイの位置ずれを防止する。当接部は、第１方向へのトレイのスライドにより当接面に摺接する。トレイが第１方向へ更にスライドされると、離間部は、当接面又は弾性片の少なくとも一方に間欠して当接し、当接部と当接面とを間欠して離間させる。
【００１０】
(2)  上記一対の当接面はそれぞれが平面であり、上記離間部は、上記当接面からそれぞれ突出されており、且つ上記第１方向へ相互に離間されて配置された複数の突出部であり、上記突出部は、上記第１方向への上記トレイのスライドにおいて上記弾性片に当接して上記当接部を上記当接面から離間させる向きへ上記弾性片を弾性変形させるものであってもよい。
【００１１】
第１方向へのトレイのスライドにおいて、複数個の突出部は、弾性片に設けられた摺接面に順に摺接し、弾性片を弾性変形させて当接部を当接面から間欠して離間させる。突出部と摺接面という簡単な構成により、当接部と当接面とを間欠して離間させることができる。
【００１２】
(3)  上記複数の突出部は、上記トレイのスライドの間に上記当接部が対向する上記当接面の全域に渡って設けられたものであってもよい。これにより、トレイがどの位置にあっても、当接部と当接面とを間欠して離間させることができる。
【００１３】
(4)  上記支持部材は、上記トレイと共にシートが載置されるトレイ形状であり、上記トレイは、上記第１方向へスライドされることにより、上記支持部材に収納された第１姿勢、及び上記支持部材から露出された第２姿勢に姿勢変化されるものであり、上記当接面には、上記トレイの姿勢が上記第１姿勢であると上記当接部が嵌る第１凹部と、上記トレイの姿勢が上記第２姿勢であると上記当接部が嵌る第２凹部とが設けられたものであってもよい。当接部が第１凹部または第２凹部に嵌ることにより、第１方向において、トレイが位置決めされる。
【００１４】
(5)  上記一対の当接面は、それぞれが上記第１方向へ沿って滑らかに凹凸が連続する湾曲面であり、上記離間部は、上記第１方向において上記当接部から離間されて上記弾性片に設けられており、上記第１方向への上記トレイのスライドにおいて上記当接面の凸部分に当接して上記当接部を上記当接面から離間させる向きへ上記弾性片を弾性変形させるものであってもよい。離間部が当接面の凸部分に間欠して摺接することにより、当接部と当接面とが間欠して離間される。簡単な構成により、当接部と当接面とを間欠して離間させることができる。
【考案の効果】
【００１５】
本考案によれば、第１方向へのトレイのスライドにおいて当接部と当接面とを間欠して離間させる離間部が設けられたことにより、トレイと支持部材との摺接によって生じる音を抑えることができる。
【図面の簡単な説明】
【００１６】
【図１】画像記録装置１０の斜視図である。
【図２】プリンタ部１１の内部の模式的な断面図である。
【図３】給紙カセット１６の斜視図である。
【図４】（Ａ）は、排紙トレイ６０及び補助トレイ７０の下面側の斜視図であり、（Ｂ）は、排紙トレイ６０及び補助トレイ７０の下面側の分解斜視図である。
【図５】（Ａ）は、ガイドリブ８４の水平断面図であり、（Ｂ）は、弾性片７４の水平断面図であり、（Ｃ）は、当接部７６が嵌合凹部８９に嵌った状態におけるガイドリブ８４及び弾性片７６の水平断面図であり、（Ｄ）は、当接部７６が嵌合凹部８８に嵌った状態におけるガイドリブ８４及び弾性片７６の水平断面図である。
【図６】弾性片７４及び当接部７６の動作を説明する動作説明図である。
【図７】（Ａ）は、補助トレイ７０が収納姿勢にある状態の排紙トレイ６０の斜視図であり、（Ｂ）は、補助トレイ７０が支持姿勢にある状態の排紙トレイ６０の斜視図である。
【図８】（Ａ）〜（Ｃ）は、変形例１のガイドリブ８４及び弾性片７４の水平断面図であり、（Ｄ）〜（Ｆ）は、変形例２のガイドリブ８４及び弾性片７４の水平断面図である。
【考案を実施するための最良の形態】
【００１７】
以下、本考案の実施形態について説明がされる。なお、実施形態は本考案の一例にすぎず、本考案の要旨を変更しない範囲で実施形態を適宜変更できることは言うまでもない。以下の説明では、画像記録装置１０を使用可能に設置した状態（図１の状態）を基準として上下方向７が定義されている。また、操作部１３が画像記録装置１０の前面（正面）側に設けられているものとして前後方向８が定義されている。また、画像記録装置１０を前側から見て左右方向９が定義されている。
【００１８】
［画像記録装置１０の概要］
図１に示されるように、画像記録装置１０は、シート１５（図２）に画像を記録するプリンタ部１１と、原稿（不図示）に記録された画像を取り込むスキャナ部１２とを備えており、プリント、スキャン、コピー等を実行可能である。スキャナ部１２は任意の構成である。以下では、スキャナ部１２の説明は省略されている。
【００１９】
プリンタ部１１は、パーソナルコンピュータなどの外部機器や操作部１３により印刷指示を受けてシート１５（図２）への画像記録を行う。シート１５は、記録用紙や、光沢紙や、葉書等であり、給紙カセット１６に保持されている。給紙カセット１６は、筺体１４の下部に収納されている。筺体１４は、給紙カセット１６を露出させる開口１７を前後方向８における前面の下部に有している。給紙カセット１６は、開口１７を通じて筺体１４から引き出され、または、開口１７を通じて筺体１４へ挿入される。
【００２０】
図２に示されるように、筐体１４内には、シート１５を給紙カセット１６から送り出す給送部２０、シート１５が通過する空間である搬送路３０、シート１５を挟んで搬送するローラ対３５，３６、及びシート１５に画像を記録する記録部２８が設けられている。これらを構成する部材は、筺体１４や、筺体１４内に設けられた不図示のフレームに取り付けられている。
【００２１】
給送部２０は、フレームに回転可能に支持された支軸２１と、支軸２１に一端部が回動可能に支持されたアーム２２と、アーム２２の他端部に回動可能に支持された給送ローラ２３と、アーム２２に設けられた複数個のギア２４とを備えている。アーム２２は、支軸２１周りに回動されることにより、給紙カセット１６に載置されたシート１５に給送ローラ２３を当接させる。支軸２１は、不図示の駆動モータにより回転される。支軸２１の回転は、複数個のギア２４により給送ローラ２３へ伝達される。支軸２１により回転された給送ローラ２３は、当接するシート１５を搬送路３０へ送り出す。
【００２２】
搬送路３０は、図２において一点鎖線により示された湾曲路３１と、２点鎖線により示された直線路３２とを備えている。湾曲路３１は、前後方向８における給紙カセット１６の後端を基端として上方へ向かって湾曲して延びている。直線路３２は、湾曲路３１の終端から前方へ向かって直線状に延びている。搬送路３０は、複数個のガイド部材３３及びプラテン３４により区画された空間である。プラテン３４は、給紙カセット１６の上側に配置されており、直線路３２の下面の一部を区画している。プラテン３４の前後方向８における後側に第１のローラ対３５が設けられている。第１のローラ対３５は、不図示の駆動モータにより回転される搬送ローラ３５Ａと、搬送ローラ３５Ａの下側に配置された従動ローラ３５Ｂとを備えている。第１のローラ対３５は、搬送路３０にあるシート１５を挟んで搬送する。
【００２３】
第２のローラ対３６は、前後方向８におけるプラテン３４の前側に設けられている。第２のローラ対３６は、不図示の駆動モータにより回転される排紙ローラ３６Ａと、排紙ローラ３６Ａの上側に配置された拍車ローラ３６Ｂとを備えている。第２のローラ対３６は、搬送路３０にあるシート１５を挟んで搬送する。シート１５は、ローラ対３５、３６によりプラテン３４上において間欠搬送され、記録部２８により画像が記録される。
【００２４】
記録部２８には、インク滴を吐出するインクジェット記録方式のものが用いられている。記録部２８は、プラテン３４の上側に配置されたキャリッジ２９に搭載されている。キャリッジ２９は、左右方向９（図２における紙面に垂直な方向）に沿って往復動が可能なように支持されている。記録部２８は、左右方向８へ往復動されながら、プラテン３４上のシート１５へインク滴を吐出し、画像記録を行う。画像が記録されたシート１５は、第２のローラ対３６により、給紙カセット１６へ排出される。以下、給紙カセット１６について、詳しい説明がされる。
【００２５】
［給紙カセット１６］
図２に示されるように、給紙カセット１６は、それぞれシート１５が載置されるメイントレイ４０及びセカンドトレイ５０と、画像記録後のシート１５を受ける排紙トレイ６０とを備えている。排紙トレイ６０（支持部材に相当する）には、補助トレイ７０（トレイに相当する）がスライド可能に設けられている。補助トレイ７０は、排紙トレイ６０からユーザにより前方へ引き出されて使用される。排紙トレイ６０及び補助トレイ７０がシート保持装置に相当する。
【００２６】
［メイントレイ４０］
図３に示されるように、メイントレイ４０は、底板４１、前板４２、傾斜板４３、左側板４４、右側板４５を備えている。底板４１は、矩形板状の外形を呈している。図２に示されるように、底板４１には、シート１５Ａが載置される。前板４２は、前後方向８における底板４１の前端から上向きへ突出されており、ユーザが把持する把持部が設けられている。傾斜板４３は、前後方向８における底板４１の後端から後方斜め上へ向かって延びており、給送部２０により後方へ送り出されるシート１５Ａを搬送路３０へ案内する。左側板４４（図３）は、左右方向９における底板４１の左端部から上向きへ突出されている。右側板４５は、左右方向９における底板４１の右端部から上向きへ突出されている。図３に示されるように、左側板４４及び右側板４５は、排紙トレイ６０に設けられた回動軸６５，６６（図４）を受ける軸受孔４６をそれぞれ備えている。メイントレイ４０は、軸受孔４６により、排紙トレイ６０を回動可能に支持している。また、左側板４４及び右側板４５は、内側面側にガイドレール４７をそれぞれ備えている。ガイドレール４７は、前後方向８へ沿って延びており、セカンドトレイ５０を前後方向８へスライド可能に支持している。
【００２７】
［セカンドトレイ５０］
セカンドトレイ５０は、矩形板状の外形を呈している。図２に示されるように、セカンドトレイ５０には、シート１５Ｂが載置される。セカンドトレイ５０は、メイントレイ４０の底板４１の上側であって、メイントレイ４０の左側板４４（図３）と右側板４５との間に配置されている。左右方向９におけるセカンドトレイ５０の両端部は、メイントレイ４０に設けられたガイドレール４７（図３）に嵌っている。従って、セカンドトレイ５０は、ガイドレール４７により、前後方向８へスライド可能にメイントレイ４０に支持されている。
【００２８】
セカンドトレイ５０は、前後方向８における長さがメイントレイ４０の前後方向８における長さよりも短くなるように設けられており、メイントレイ４０の底板４１上をスライドされる。セカンドトレイ５０は、スライドされることにより、図２の破線に示される給紙姿勢、及び図２の実線に示される退避姿勢にされる。給紙姿勢において、セカンドトレイ５０の前後方向８における後端は、メイントレイ４０の傾斜板４３に近接している。退避姿勢において、セカンドトレイ５０の後端は、メイントレイ４０の傾斜板４３から離間されている。セカンドトレイ５０が図２の実線に示される退避姿勢にあるとき、給送ローラ２３は、メイントレイ４０に載置されたシート１５Ａに当接し、シート１５Ａを後方へ送り出す。セカンドトレイ５０が図２の破線に示される給紙姿勢にあるとき、給送ローラ２３は、セカンドトレイ５０に載置されたシート１５Ｂに当接し、シート１５Ｂを後方へ送り出す。ユーザは、セカンドトレイ５０をスライドさせることにより、シート１５Ａまたはシート１５Ｂのうちの一方を、画像が記録されるシート１５として選択する。
【００２９】
［排紙トレイ６０］
図３に示されるように、排紙トレイ６０は、シート１５を受ける支持板６１を備えている。支持板６１は、前後方向８における長さがセカンドトレイ５０の前後方向８における長さとほぼ同じ長さであり、前後方向８及び左右方向９に沿って広がった矩形板状の外形を呈している。支持板６１は、退避姿勢にあるセカンドトレイ５０の上側となる位置に配置されている。図４（Ａ），（Ｂ）に示されるように、支持板６１の下面からは、左側壁６２と、右側壁６３と、前壁６４とが下向きへ突出されている。左側壁６２、右側壁６３及び前壁６４により、排紙トレイ６０がメイントレイ４０（図２）に支持される。詳細には、左側壁６２の下端がメイントレイ４０の左側板４４（図３）の上端に当接し、右側壁６３の下端がメイントレイ４０の右側板４５（図３）の上端に当接し、前壁６４の下端がメイントレイ４０の前板４２（図３）の上端に当接することにより、排紙トレイ６０はメイントレイ４０に支持される。
【００３０】
排紙トレイ６０は、図４（Ｂ）に示される左右一対の回動軸６５，６６により、メイントレイ４０（図３）に回動可能に支持されている。回動軸６５は、左側壁６２の前後方向８における後端部から左右方向９における左向きへ突出されている。回動軸６６は、右側壁６３の前後方向８における後端部から左右方向９における右向きへ突出されている。回動軸６５，６６は、メイントレイ４０の左側板４４及び右側板４５に設けられた軸受孔４６（図３）に挿通されている。この構成により、排紙トレイ６０は、前後方向８における前部を回動先端部として回動軸６５，６６の軸線周りに回動され、メイントレイ４０から起こされる。ユーザは、排紙トレイ６０をメイントレイ４０から起こし、メイントレイ４０にシート１５Ａを補給する。
【００３１】
図４（Ａ），（Ｂ）に示されるように、排紙トレイ６０は、支持板６１の下面側に配置された補助トレイ７０を前後方向８へスライド可能に支持する支持機構８０を有している。また、排紙トレイ６０の前壁６４は、補助トレイ７０を排紙トレイ６０から引き出せるように、左前壁６４Ａと右前壁６４Ｂとに分かれており、開口６８を形成している。この開口６８により、補助トレイ７０の前後方向８における前面が外部に露出されている。
【００３２】
支持機構８０は、補助トレイ７０に設けられた左右一対のレール７２，７３が嵌る左右一対の溝８１，８２と、左右一対の規制リブ８３Ａ、８３Ｂとを備えている。規制リブ８３Ａ，８３Ｂには、前後方向８における前面側から補助トレイ７０が当接され、規制リブ８３Ａ，８３Ｂにより、補助トレイ７０の後方へのスライドが制止される。
【００３３】
溝８１，８２は、支持板６１と、左右一対のガイドリブ８４，８５と、左右一対の支持リブ８６、８７とにより区画されている。ガイドリブ８４，８５は、支持板６１の下面から下向きへ突出されている。ガイドリブ８４は、前後方向８における支持板６１の後部から前端まで前後方向８に沿って延びており、左右方向９における左前壁６４Ａの右端部と接続されている。ガイドリブ８５は、前後方向８における支持板６１の後部から前端まで前後方向８に沿って延びており、左右方向９における右前壁６４Ｂの左端部と接続されている。つまり、ガイドリブ８４とガイドリブ８５とは、左右方向９へ離間されている。左右一対のガイドリブ８４，８５と支持板６１とにより囲まれた収納空間６７に、補助トレイ７０が収納される。
【００３４】
支持リブ８６，８７は、溝８１，８２の下面を区画しており、溝８１，８２に嵌った補助トレイ７０のレール７２，７３を下方から支持する。詳細には、支持リブ８６は、ガイドリブ８４の下端部から左右方向９における右方へ向かって突出されており、上下方向７において支持板６１と対向している。支持リブ８６は、ガイドリブ８４の前後方向８における前部に設けられており、前後方向８へ延びている。一方、支持リブ８７は、ガイドリブ８５の下端部から左右方向９における左方へ向かって突出されており、上下方向７において支持板６１と対向している。支持リブ８７は、ガイドリブ８５の前後方向８における前部に設けられており、前後方向８へ延びている。
【００３５】
左右一対の規制リブ８３Ａ，８３Ｂは、支持板６１の下面から下向きへそれぞれ突出されている。規制リブ８３Ａ，８３Ｂは左右方向９に沿ってそれぞれ延びている。規制リブ８３Ａの左右方向９における左端部は、ガイドリブ８４の前後方向８における後端部と繋がっている。規制リブ８３Ｂの左右方向９における右端部は、ガイドリブ８５の前後方向８における後端部と繋がっている。規制リブ８３Ａ，８３Ｂには、前後方向８における前面側から補助トレイ７０が当接される。これにより、前後方向８における補助トレイ７０の後端がガイドリブ８４，８５の後端より後側となるような補助トレイ７０の後方へのスライドが制止される。
【００３６】
図４（Ｂ）及び図５（Ａ）に示されるように、ガイドリブ８４，８５は、補助トレイ７０の位置決め用の前後一対の嵌合凹部８８，８９をそれぞれ備えている。なお、図５（Ａ）〜（Ｄ）は、ガイドリブ８４及び当接部７６を通る水平断面を下面側から見た図である。ガイドリブ８４が有する嵌合凹部８８，８９は、ガイドリブ８４の左右方向９における右側面８４Ａ（当接面に相当する）から退避するよう凹んでいる。ガイドリブ８５が有する嵌合凹部８８，８９は、ガイドリブ８５の左右方向９における左側面８５Ａ（当接面に相当する）から退避するよう凹んでいる。ガイドリブ８４の右側面８４Ａとガイドリブ８５の左側面８５Ａとは、左右方向９（第２方向に相当する）へ離間されている。左右一対の嵌合凹部８８（第２凹部に相当する）は、支持リブ８６，８７の前後方向８における中央部の上側に設けられている。これは、補助トレイ７０のレール７２、７３が溝８１、８２から外れないようにするためである。左右一対の嵌合凹部８９（第１凹部に相当する）は、ガイドリブ８４，８５の前後方向８における後端部に設けられている。これは、前後方向８における補助トレイ７０の後端が規制リブ８３Ａ，８３Ｂに当接したときに、嵌合凹部８９に後述の当接部７６，７７が嵌るようにするためである。当接部７６，７７が嵌合凹部８８または嵌合凹部８９に嵌ることにより、補助トレイ７０は、前後方向８において位置決めされる。詳しくは後述される。
【００３７】
ガイドリブ８４の右側面８４Ａには、右方向へ突出した複数個の凸部９０が設けられている。また、ガイドリブ８５の左側面８５Ａには、左方向へ突出した複数個の凸部９０が設けられている。各凸部９０は、全て、直方体状であり、また、前後方向８において相互に所定長さだけ離間されて配置されている。この所定長さは、排紙トレイ６０と補助トレイ７０との摺接音が小さくなるように、設計により決められる。また、補助トレイ７０がスライドされる全範囲において摺接音を小さくできるように、凸部９０は、嵌合凹部８８と嵌合凹部８９との間の全領域に、ほぼ均等に配置されている。嵌合凹部８８，８９及び凸部９０を含め、ガイドリブ８４とガイドリブ８５とは、左右方向９において対称となる形状に形成されている。また、一の凸部９０において、縁９１は、前後方向８における縁９１の前側にある。
【００３８】
［補助トレイ７０］
図４及び図７に示されるように、補助トレイ７０は、シート１５（図２）を支持可能な板状の基部７１を備えている。基部７１の前後方向８における前端部には、ストッパ部１１０が回動可能に設けられている。ストッパ部１１０は、基部７１へ倒伏した姿勢（図７）から、基部７１に対して起立する起立姿勢に、ユーザにより回動される。なお、図４では、ストッパ部１１０の図示が省略されている。
【００３９】
基部７１には、排紙トレイ６０の左右の溝８１，８２に嵌る左右一対のレール７２，７３が設けられている。レール７２は、左右方向９における基部７１の左端部に設けられており、前後方向８に沿って延びている。レール７３は、左右方向９における基部７１の右端部に設けられており、前後方向８に沿って延びている。補助トレイ７０は、溝８１，８２及びレール７２、７３により、前後方向８（第１方向に相当する）へスライド可能に排紙トレイ６０に支持されている。補助トレイ７０は、スライドされることにより、図７（Ａ）に示される収納姿勢（第１姿勢に相当する）、及び図７（Ｂ）に示される支持姿勢（第２姿勢に相当する）になる。補助トレイ７０は、収納姿勢において、ストッパ部１１０の手掛け部１１１が外部に露出されているのみであり、排紙トレイ６０の収納空間６７（図４（Ｂ））に大部分が収納されている。補助トレイ７０は、支持姿勢において、排紙トレイ６０の前壁６４より前側へ突出し、図２に示されるように、シート１５の一部を支持する。
【００４０】
図４（Ｂ）に示されるように、レール７２，７３には、左右一対の弾性片７４，７５（弾性片の一例）及び左右一対の当接部７６，７７（当接部の一例）が設けられている。この弾性片７４，７５及び当接部７６，７７によって、後述されるように、左右方向９における補助トレイ７０の位置ずれを防止し、且つ、収容姿勢及び支持姿勢にある補助トレイ７０の位置決めを行う。
【００４１】
図５（Ｂ）に示されるように、レール７２には、前後方向８におけるレール７２の後面から後向きへ突出した自由端形状の弾性片７４が設けられている。補助トレイ７０は、弾性変形可能な樹脂材料により成型された樹脂成型品である。よって、弾性片７４は、弾性変形可能である。弾性片７４は、左右方向９へ撓むことができるように、左右方向９において基部７１から離間されて設けられている。
【００４２】
弾性片７４には、その突出の先端部（前後方向８における後端部）から左右方向９における左向きへ突出されており、左右方向９においてガイドリブ８４の右側面８４Ａ（図５（Ａ））と対向している当接部７６が設けられている。図５（Ｃ）に示されるように、当接部７６は、補助トレイ７０が収納姿勢（図７（Ａ））にあるときに、ガイドリブ８５の嵌合凹部８９に嵌っている。図５（Ｄ）に示されるように、当接部７６は、補助トレイ７０が支持姿勢（図７（Ｂ））にあるときに、ガイドリブ８４の嵌合凹部８８に嵌っている。
【００４３】
弾性片７５及び当接部７７は、上述の弾性片７４及び当接部７６と左右方向９において対称となる形状に設けられている。当接部７７は、当接部７６と同様に、補助トレイ７０が収納姿勢（図７（Ａ））にあるときに、ガイドリブ８５の嵌合凹部８９に嵌っている。また、当接部７７は、補助トレイ７０が支持姿勢（図７（Ｂ））にあるときに、ガイドリブ８５の嵌合凹部８８に嵌っている。
【００４４】
左右方向９における当接部７６の左端と、当接部７７の右端との間の距離は、ガイドリブ８４の右側面８４Ａと、ガイドリブ８５の左側面８５Ａとの間の距離よりも長くされている。従って、図６（Ｂ）〜（Ｅ）に示されるように、当接部７６がガイドリブ８４の右側面８４Ａに当接し、当接部７７がガイドリブ８５の左側面８５Ａ（図４）に当接しているとき、弾性片７４，７５は撓んでいる。補助トレイ７０が収納姿勢と支持姿勢との間に位置するとき、当接部７６，７７は、撓んだ弾性片７４，７５の弾性力により、ガイドリブ８４の右側面８４Ａ及びガイドリブ８５の左側面８５Ａにそれぞれ押し付けられる。
【００４５】
図５（Ｃ），（Ｄ）に示されるように、当接部７６，７７が嵌合凹部８８または嵌合凹部８９に嵌ることにより、補助トレイ７０は、前後方向８において位置決めされる。また、当接部７６，７７が嵌合凹部８８または嵌合凹部８９に嵌まると、ユーザは、手に感触（クリック感）を受ける。この感触により、ユーザは、補助トレイ７０が収納姿勢または支持姿勢となったことを容易に認識することができる。また、図６（Ｂ）〜（Ｅ）に示されるように、当接部７６がガイドリブ８４の右側面８４Ａに当接し、当接部７７（図４（Ｂ））がガイドリブ８５の左側面８５Ａに当接することにより、ガイドリブ８４，８５に沿って補助トレイ７０がスライドすることになる。従って、左右方向９における補助トレイ７０の位置ずれが防止される。
【００４６】
当接部７６，７７は、複数個の凸部９０により、ガイドリブ８４の右側面８４Ａ及びガイドリブ８５の左側面８５Ａから間欠して離間される形状に設けられている。以下、当接部７６の形状について説明がされる。なお、当接部７７は、当接部７６と左右方向９において対称となる形状に設けられているので、当接部７７の説明は省略される。
【００４７】
図５（Ｂ）に示されるように、当接部７６は、弾性片７４の突出の先端部（前後方向８における後端部）から右方へ向かって突出する山形の外形を呈しており、第１摺接面１０１、第２摺接面１０２及び第３摺接面１０３を備えている。第１摺接面１０１は、当接部７６の突出の先端（左右方向９における左端）に設けられてる。第１摺接面１０１は、ガイドリブ８４の右側面８４Ａに面接触するように設けられている。詳細には、第１摺接面１０１は、弾性片７４が撓んだ状態において右側面８４Ａと平行になるように設けられている。また、第１摺接面１０１は、補助トレイ９０のスライドにおいてガイドリブ８４の右側面８４Ａに摺接可能なように設けられている。詳細には、第１摺接面１０１の前後方向８における長さＬ１が前後方向８において隣り合う２つの凸部９０間の離間距離Ｌ２（図５（Ａ））よりも短くなるように設けられている。
【００４８】
第２摺接面１０２及び第３摺接面１０３は、補助トレイ７０がスライドされる際に凸部９０の突出の先端の縁９１，９２に摺接するものである。第２摺接面１０２は、前後方向８における第１摺接面１０１の前端から前方斜め左へ向かって延びている。従って、第２摺接面１０２は、第１摺接面１０１に対して傾斜し、前端側が右側面８４Ａから退避する形状となっている。第３摺接面１０３は、前後方向８における第１摺接面１０１の後端から、後方斜め左へ向かって延びている。従って、第３摺接面１０３は、第１摺接面１０１に対して傾斜し、後端側が右側面８４Ａから退避する形状となっている。
【００４９】
［プリンタ部１１の動作］
図２を参照してプリンタ部１１の動作が説明される。ユーザにより、操作部１３や外部機器から印刷指示が入力されると、給紙カセット１６に保持されたシート１５が給送ローラ２３により搬送路３０へ送り出される。送り出されたシート１５は、湾曲路３１及び直線路３２においてローラ対３５，３６により搬送される。シート１５は、プラテン３４上において間欠搬送され、記録部２８により画像が記録される。画像が記録されたシート１５は、ローラ対３６から排出され、排紙トレイ６０、または、排紙トレイ６０と補助トレイ７０とにより受けられる。
【００５０】
次に、図５〜図７を参照して、収納姿勢にある補助トレイ７０がスライドされて支持姿勢になる際の当接部７６及び弾性片７４の動作について説明がされる。なお、当接部７７及び弾性片７５は、当接部７６及び弾性片７４と左右方向９において対称な動作を行うので、当接部７７及び弾性片７５の動作の説明は省略される。
【００５１】
補助トレイ７０が図７（Ａ）に示される収納姿勢にあるとき、当接部７６は、図５（Ｃ）に示されるように、ガイドリブ８４の嵌合凹部８９に嵌っている。収納姿勢にある補助トレイ７０がユーザにより前後方向８における前方へ向かってスライドされると、図６（Ａ）に示されるように、当接部７６の第２摺接面１０２が嵌合凹部８９の壁に摺接し、弾性片７４が撓む。撓んだ弾性片７４は、図６（Ｂ）に示されるように、当接部７６を凸部９０の先端面９３に当接させる。当接部７６は、第１摺接面１０１において、凸部９０の先端面９３と摺接する。補助トレイ７０が前方へ向かって更にスライドされると、図６（Ｃ）に示されるように、当接部７６は、撓んだ弾性片７５の弾性力により第３摺接面１０３において凸部９０の突出の先端の縁９１に押し付けられ、縁９１と摺接する。補助トレイ７０が前方へ向かって更にスライドされると、図６（Ｄ）に示されるように、当接部７６は、第１摺接面１０１においてガイドリブ８４の右側面８４Ａと当接して摺接する。補助トレイ７０が前方へ向かって更にスライドされると、図６（Ｅ）に示されるように、当接部７６は、第２摺接面１０２において凸部９０の突出の先端の縁９２に摺接する。第２摺接面１０２が縁９２に摺接することにより、第１摺接面１０１は、ガイドリブ８４の右側面８４Ａから離間され、ガイドリブ８４の右側面８４Ａと摺接しない。当接部７６は、凸部９０により、ガイドリブ８４の右側面８４Ａから間欠して離間されながら前方へ向かって移動される。当接部７６は、補助トレイ７０が図８（Ｂ）に示される支持姿勢となる位置まで引き出されると、嵌合凹部８８に嵌る。
【００５２】
支持姿勢にある補助トレイ７０が収容姿勢に戻されるときも、上述と同様に、当接部７６は、凸部９０により、ガイドリブ８４の右側面８４Ａから間欠して離間されながら後方へ向かって移動され、補助トレイ７０が図７（Ａ）に示される収納姿勢になると、嵌合凹部８９に嵌る。
【００５３】
［本実施形態の効果］
上述されたように、当接部７６，７７は、複数個の凸部９０により、ガイドリブ８４の右側面８４Ａ及びガイドリブ８５の左側面８５Ａから間欠して離間される。よって、凸部９０が設けられておらず、当接部７６，７７がガイドリブ８４，８５と継続して摺接する構成に比べ、排紙トレイ６０と補助トレイ７０との摺接により生じる音を低減することができる。
【００５４】
また、凸部９０という簡単な構成により、当接部７６，７７とガイドリブ８４，８５とを間欠して離間させることができる。
【００５５】
また、凸部９０は、嵌合凹部８８と嵌合凹部８９との間の全領域に、ほぼ均等に配置されているので、トレイがどの位置にあっても、当接部７６，７７とガイドリブ８４，８５とを間欠して離間させることができる。その結果、補助トレイ７０の位置によらず、排紙トレイ６０と補助トレイ７０との摺接により生じる音を低減することができる。
【００５６】
また、補助トレイ７０は、使用されないときは排紙トレイ６０に収納されるので、給紙カセット１６がコンパクトになる。
【００５７】
また、当接部７６，７７に第２摺接面１０２及び第３摺接面１０３が設けられたことにより、当接部７６，７７が凸部９０に引っ掛かることなく補助トレイ７０をスライドさせることができる。
【００５８】
また、複数個の凸部９０が設けられたことにより、補助トレイ７０をスライドさせる際に、適度なクリック感を得ることができる。
【００５９】
［変形例１］
上述の実施形態では、直方体状の凸部９０により当接部７６，７７とガイドリブ８４，８５とを間欠して離間させる例が説明された。しかしながら、直方体状の凸部９０に代えて、図８（Ａ）に示される三角柱状の凸部９５や、半円柱状の凸部９６や、台形状の凸部９７がガイドリブ８４，８５に設けられてもよい。凸部９５，９６，９７（突出部の一例）によっても、当接部７６，７７とガイドリブ８４，８５とを間欠して離間させることができ、排紙トレイ６０と補助トレイ７０との摺接により生じる音を低減することができる。
【００６０】
上述のような形状の凸部９５，９６，９７を用いる場合、山形の当接部７６に代えて、図８（Ａ）に示される直方体状の当接部７８（当接部の一例）を用いることができる。つまり、傾斜面を有する凸部９５，９６，９７を用いる場合は、第２摺接面１０２及び第３摺接面１０３を設ける必要がないので、直方体状の当接部７８を用いることができる。また、第２摺接面１０２及び第３摺接面１０３を有する当接部７６に代えて、図８（Ｂ）に示される半円柱状の当接部７９（当接部の一例）を用いることもできる。凸部９０，９５，９６，９７は、半円柱状の当接部７９の周面に摺接する。
【００６１】
［変形例２］
本変形例では、ガイドリブ８４の左側面８４Ａは、前後方向８へ沿って滑らかに凹凸が連続する湾曲面に構成されている。一方、当接部７６の代わりに、当接部１０５及び離間突起１０６（離間部の一例）が弾性片７４に設けられている。当接部１０５は、半円柱状に構成されている。離間突起１０６は、前後方向９における当接部１０５の後面から後向きへ突出されている。離間突起１０６は、弾性片７４とガイドリブ８４とが接触しないように、弾性片７４よりも右側に配置されている。図８（Ｅ）に示されるように、当接部１０５は、ガイドリブ８４の右側面８４Ａと摺接する。図８（Ｆ）に示されるように、離間突起１０６がガイドリブ８４の右側面８４Ａの凸部分８４Ｂ（凸部分に相当する）と当接すると、当接部１０５は、右側面８４Ａから離間される。よって、補助トレイ７０のスライドにおいて、当接部１０５は、間欠して右側面８４Ａから離間される。したがって、上述の実施形態と同様に、排紙トレイ６０と補助トレイ７０との摺接により生じる音を低減することができる。
【００６２】
［その他の変形例］
上述の実施形態では、弾性片７４，７５により当接部７６，７７を付勢する例が説明されたが、弾性片７４，７５の代わりに板バネ（弾性片の一例）が用いられてもよい。
【００６３】
また、上述の実施形態では、排紙トレイ６０に支持機構８０が設けられ、補助トレイ７０にレール７２，７３、弾性片７４，７５及び当接部７６，７７が設けられた例が説明された。しかしながら、補助トレイ７０に支持部８０が設けられ、排紙トレイ６０にレール７２，７３、弾性片７４，７５及び当接部７６，７７が設けられていてもよい。
【００６４】
また、上述の実施形態では、複数個の凸部９０を前後方向８において全て等間隔で離間させて配置した例が説明されたが、これに限るものではない。複数個の凸部９０間の距離は、適宜設定されればよい。
【００６５】
また、上述の実施形態や変形例１では、凸部９０，９５，９６，９７がガイドリブ８４の右側面８４Ａ及びガイドリブ８５の左側面８５Ａに設けられた例が説明された。しかしながら、凸部９０，９５，９６，９７は、ガイドリブ８４，８５以外の場所に設けられてもよい。例えば、凸部９０，９５，９６，９７は、排紙トレイ６０の基部６１の下面における弾性片７４，７５の上側となる位置に設けられる。弾性片７４，７５の上面側には、当接部７４，７５、７８，７９と同様の形状の第２当接部が設けられる。この第２当接部は、補助トレイ７０のスライドにおいて凸部９０，９５，９６，９７と間欠して当接し、弾性片７４，７５を左右方向９へ撓ませる。この構成を用いても当接部７４，７５とガイドリブ８４，８５とを間欠して離間させることができ、摺接音を低減できる。また、当接部７４，７５の摩耗を低減することもできる。
【００６６】
また、上述の実施形態では、排紙トレイ６０と補助トレイ７０とが給紙カセット１６に設けられた例が説明された。しかしながら、排紙トレイ６０と補助トレイ７０とは、筐体１４に設けられていてもよい。
【００６７】
また、上述の実施形態では、排紙トレイ６０と、排紙トレイ６０にスライド可能に支持された補助トレイ７０とに本考案が用いられた例が説明された。しかしながら、筐体１４と、筐体１４にスライド可能に支持された排紙トレイ６０とに本考案が用いられてもよい。この場合、筐体１４が支持部材に相当し、排紙トレイ６０がトレイに相当する。
【００６８】
また、上述の実施形態では、画像が記録されたシート１５を保持する排紙トレイ６０及び補助トレイ７０に本考案が用いられた例が説明された。しかしながら、画像が記録される前のシート１５を保持するトレイに本考案が用いられてもよい。例えば、メイントレイ４０と、メイントレイ４０にスライド可能に支持された拡張トレイとに本考案が用いられてもよい。拡張トレイがメイントレイ４０から引き出されることにより、シート１５を載置可能な面積が拡大され、より大きなサイズ（例えば、Ａ３サイズ）のシート１５を給紙カセット１６に載置可能となる。
【００６９】
また、手差し給送されるシートを保持するトレイ及び筐体１４に本考案が用いられてもよい。このトレイは、筐体１４にスライド可能に保持されており、ユーザにより引き出され、シート１５が載置される。
【００７０】
また、上述の実施形態や変形例では、画像記録装置１０に本考案を用いる例が説明された。しかしながら、画像が記録された原稿を搬送して当該画像を取り込むスキャナに本考案を用いることもできる。詳細には、スキャナの筐体と、この筐体にスライド可能に支持されたトレイとに、本考案を用いることができる。
【符号の説明】
【００７１】
８・・・前後方向（第１方向）
９・・・左右方向（第２方向）
１５・・・シート
６０・・・排紙トレイ（支持部材の一例）
７０・・・補助トレイ（トレイの一例）
７４・・・弾性片（弾性片の一例）
７５・・・弾性片（弾性片の一例）
７６・・・当接部（当接部の一例）
７７・・・当接部（当接部の一例）
７８・・・当接部（当接部の一例）
７９・・・当接部（当接部の一例）
８４・・・ガイドリブ
８４Ａ・・右側面（当接面）
８５・・・ガイドリブ
８５Ａ・・右側面（当接面）
９０・・・凸部（突出部の一例）
９５・・・凸部（突出部の一例）
９６・・・凸部（突出部の一例）
９７・・・凸部（突出部の一例）
１０１・・第１摺接面
１０２・・第２摺接面
１０３・・第３摺接面
１０５・・当接部（当接部の一例）
１０６・・離間突起（離間部の一例）
【図１】
0003192597.tif 000003
【図２】
0003192597.tif 000004
【図３】
0003192597.tif 000005
【図４】
0003192597.tif 000006
【図５】
0003192597.tif 000007
【図６】
0003192597.tif 000008
【図７】
0003192597.tif 000009
【図８】
0003192597.tif 000010